(57)【要約】      （修正有）【課題】単一のブランクから組み立てられる、バナナなどの食品を収容するための箱を提供する。【解決手段】箱はブランク５から形成され、ブランクは、１対の対向する端部及び１対の対向する側部を有する矩形中央パネル１０と、各エンドパネルが、端部に沿って折り畳み可能なように接続された第１の縁部４５を有する、１対のエンドパネル２０と、各サイドパネルが、側部に沿って折り畳み可能なように接続された第２の縁部を有する、１対のサイドパネル１５と、を備え、サイドパネルの各々は、サイドパネルの横縁部に沿って折り畳み可能なように接続された横パネル２５を含み、エンドパネル及びサイドパネルは、箱の周壁を形成するために折り畳むように構成され、横パネルは、コーナー強化部材を形成するように箱のコーナーに位置決めされる。【選択図】図１
0003215086.tif 000002
【実用新案登録請求の範囲】
【請求項１】
食品を収容するための箱であって、
前記箱は、ブランクから形成され、前記ブランクは、
１対の対向する端部及び１対の対向する側部を有する矩形中央パネルと、
各エンドパネルが、前記端部に沿って折り畳み可能なように接続された第１の縁部を有する、１対のエンドパネルと、
各サイドパネルが、前記側部に沿って折り畳み可能なように接続された第２の縁部を有する、１対のサイドパネルと、
を備え、
前記サイドパネルの各々は、前記サイドパネルの横縁部に沿って折り畳み可能なように接続された横パネルを含み、
前記エンドパネル及び前記サイドパネルは、前記箱の周壁を形成するために折り畳むように構成され、
前記横パネルは、コーナー強化部材を形成するように前記箱のコーナーに位置決めされる、箱。
【請求項２】
前記横パネルは、第１の中間折り畳み線を含み、
前記横パネルは、前記コーナー強化部材の厚みが前記横パネルの厚みの２倍であるように、前記第１の中間折り畳み線で折り畳まれるように構成される、請求項１に記載の箱。
【請求項３】
前記横パネルは、第２の中間折り畳み線を含み、
前記横パネルは、前記コーナー強化部材の厚みが前記横パネルの厚みの３倍であるように、前記第１及び第２の中間折り畳み線で折り畳まれるように構成される、請求項１に記載の箱。
【請求項４】
各サイドパネルは、前記第２の縁部に対向する縁部に沿って折り畳み可能なように接続されたカバーパネルを含み、
前記サイドパネルが折り畳まれた時、前記カバーパネルは、前記箱の少なくとも一部をカバーするように折り畳まれるように構成される、請求項１から３のいずれか一項に記載の箱。
【請求項５】
各カバーパネルは、前記コーナー強化部材のうちの１つと係合するように構成された少なくとも１つのタブを含む、請求項４に記載の箱。
【請求項６】
前記タブは、前記コーナー強化部材を形成する前記横パネルの折り畳まれた部分の間にフィットするように構成される、請求項５に記載の箱。
【請求項７】
前記エンドパネルは、中間折り畳み線を含み、
前記中間折り畳み線は、前記パネルをエンドカバーパネルから分離する、請求項１から５のいずれか一項に記載の箱。
【請求項８】
前記エンドカバーパネルは、前記カバーパネルの前記タブを受け入れるためのスロットを含み、
前記カバーパネル及びエンドカバーパネルは、前記中央パネルに平行な面を形成する、請求項７に記載の箱。
【請求項９】
前記ブランクは、複数の開口部を含み、
前記開口部は、組み立て後、前記箱に換気を提供するように構成される、請求項１から８のいずれか一項に記載の箱。
【請求項１０】
食品を収容するための箱用のブランクであって、
１対の対向する端部及び１対の対向する側部を有する矩形中央パネルと、
各エンドパネルが、前記端部に沿って折り畳み可能なように接続された第１の縁部を有する、１対のエンドパネルと、
各サイドパネルが、前記側部に沿って折り畳み可能なように接続された第２の縁部を有する、１対のサイドパネルと、
を備え、
前記サイドパネルの各々は、前記サイドパネルの横縁部に沿って折り畳み可能なように接続された横パネルを含み、
前記エンドパネル及び前記サイドパネルは、前記箱の周壁を形成するために折り畳むように構成され、
前記横パネルは、コーナー強化部材を形成するように前記箱のコーナーに位置決めされる、ブランク。
【請求項１１】
前記エンドパネルは、エンドカバーパネルを提供するために折り畳み可能なように構成された中間折り畳み線を含む、請求項１０に記載のブランク。
【請求項１２】
前記横パネルは、３倍の厚みのコーナー強化部材を形成するように追加の折り畳み線を含む、請求項１０又は１１に記載のブランク。
【考案の詳細な説明】
【技術分野】
【０００１】
本考案は、バナナなどの果物のための貯蔵及び輸送箱に関する。特に、本考案は、ブランクを折り畳むことから形成される段ボール箱に関する。
【背景技術】
【０００２】
バナナの世界的生産量は年間１億トンを超え、大部分がインド、フィリピン、中国、エクアドル、ブラジル、及びインドネシアといった主要なバナナ産出国から輸出される。
【０００３】
結果として、安全な環境でバナナを輸送するためには、構造的に堅固な容器内にかなりの間入れておく必要があるため、結果として年間最高５億個の箱を使用することになる。
【０００４】
バナナの輸送及び貯蔵に使用される箱の容量に関して、これらは、限定はされないが、典型的には１３、１６、又は１８キログラムの可搬重量を有するものとして分類される。例を挙げると、箱は典型的にはボール紙であり、厚さ６ｍｍの５層段ボール紙とすることができる。より高ゲージ又は低ゲージのボール紙の使用、或いはポリプロピレンなどの他の材料の使用も可能である。
【０００５】
箱は、１８ｋｇ箱の場合最大９個、１３ｋｇ箱の場合１０個まで積み重ねることができる。したがって、１８ｋｇ箱を９個積み重ねた場合、積み重ねられた一番下の箱は、１４４ｋｇの負荷に耐えるように設計しなければならない。加えて、安全に関する要因には、不均等な配分や貯蔵中の強打、並びに湿潤環境で貯蔵された時の強度低下などの、外来の負荷を考慮する必要がある。
【考案の概要】
【考案が解決しようとする課題】
【０００６】
こうしたレベルの負荷が加えられた時、不要な廃棄につながる箱の破損の特に一般的な原因は、コーナーの損傷である。果物、特にバナナの傷みやすい性質を考えると、輸送手段の構造的破損に比べて、廃棄率をその傷みやすい性質に限定するという果物生産の経済学を用いる廃棄は、常に相対的に高い。
【課題を解決するための手段】
【０００７】
第１の態様において、本考案は食品を収容するための箱を提供し、箱はブランクから形成され、ブランクは、１対の対向する端部及び１対の対向する側部を有する矩形中央パネルと、各エンドパネルが、端部に沿って折り畳み可能なように接続された第１の縁部を有する、１対のエンドパネルと、各サイドパネルが、側部に沿って折り畳み可能なように接続された第２の縁部を有する、１対のサイドパネルと、を備え、サイドパネルの各々は、サイドパネルの横縁部に沿って折り畳み可能なように接続された横パネルを含み、エンドパネル及びサイドパネルは、箱の周壁を形成するために折り畳むように構成され、横パネルは、コーナー強化部材を形成するように箱のコーナーに位置決めされる。
【０００８】
第２の態様において、本考案は食品を収容するための箱用のブランクを提供し、ブランクは、１対の対向する端部及び１対の対向する側部を有する矩形中央パネルと、各エンドパネルが、端部に沿って折り畳み可能なように接続された第１の縁部を有する、１対のエンドパネルと、各サイドパネルが、側部に沿って折り畳み可能なように接続された第２の縁部を有する、１対のサイドパネルと、を備え、サイドパネルの各々は、サイドパネルの横縁部に沿って折り畳み可能なように接続された横パネルを含み、エンドパネル及びサイドパネルは、箱の周壁を形成するために折り畳むように構成され、横パネルは、コーナー強化部材を形成するように箱のコーナーに位置決めされる。
【０００９】
バナナ及び他の果物の輸送に使用される従来技術の貯蔵箱は、共に接合するためのいくつかの部片及びカバー／蓋用の更なる部片が必要である。これが、箱を組み立てるための不必要に高いコストにつながる。更に、いくつかの部片を製造する際に、それぞれのボール紙ブランクを作成するために各部片が別個のダイを必要とするという、特有の非効率さが存在する。
【００１０】
本考案は、別の強化要素を追加することなく、強化されたコーナーを有する箱に組み立てるように構成された、単一のブランクを提供する。コーナーを強化することの利点は、従来技術に比べて箱の構造的完全性をより向上させることにつながる一方で、単一のブランクから箱を生成することによって相対的な製造コストは依然として低く抑えられることである。
【００１１】
一実施形態において、ブランクのパネルの更なる対は、箱の縦縁部に沿った支持カバーを提供する。カバーパネルは中間コーナーから強化コーナーへと負荷を分散させる働きをするため、負荷を好ましい領域に分散させる。これにより、縦縁部に沿った局所的損傷も制限されるため、箱に対して２次的な強化を提供することができる。
【００１２】
本考案の可能な構成を示す添付の図面に関して、本考案を更に説明することが好都合であろう。本考案の他の構成が可能であり、したがって、添付の図面の特異性は、本考案の前述の一般性に優先するものとは理解されるべきでない。
【図面の簡単な説明】
【００１３】
【図１】本考案の一実施形態に従った箱用のブランクを示す図である。
【図２】図１のブランクから形成される箱を示す等角図である。
【図３】（Ａ）〜（Ｃ）は、本考案の一実施形態に従った、箱の組み立ての際の逐次ステップを示す図である。
【図４】本考案の更なる実施形態に従った箱用のブランクを示す図である。
【考案を実施するための形態】
【００１４】
本考案は、単一のブランクから組み立てられる、バナナなどの食品を運ぶための箱を対象とする。ブランクは、より低い製造コスト、より少ない数の構成要素、及び結果としてより軽い全体構成で、箱に関する載荷要件を満たすように箱を強化する特徴を含む。
【００１５】
図１は、ブランク５が、組み立てられた時に箱の底部を形成することになる矩形中央パネル１０を備える、本考案の一実施形態を示す。１対のエンドパネル２０が、第１の縁部４５に沿って中央パネル１０に折り畳み可能なように接続される。第１の縁部４５は、組み立てられた箱の壁部を形成するためにエンドパネルを折り畳むのを容易にするための、折り畳み線である。
【００１６】
サイドパネル１５は、サイドパネル１５の第２の縁部に沿った折り畳み線４０に沿い、中央パネル１０の側部に沿って折り畳み可能なように接続される。サイドパネル及びエンドパネルは、箱の周壁を形成するように折り畳まれる。
【００１７】
各サイドパネル１５は、サイドパネル１５に向かって内側に折り畳んだ後、再度折り畳んで２倍の厚みを形成するための、縁部折り畳み線５０及び中間折り畳み線５５を有する横パネル２５を含む。箱の側壁を形成するためにサイドパネルが定位置に折り畳まれた場合、箱の積み重ねなどの箱にかけられる負荷の印加に対してコーナーを強化するように、横パネル２５は２倍の厚みのコーナー強化部材になる。したがってコーナー強化部材は、上に置かれた箱から箱の底部を介して下の箱まで負荷を分散させるように、側壁及び端壁の全高さに及ぶ。このようにすると、コーナーは潰れに対して強化され、側壁及び端壁は上に積み上げられた箱の重みによる圧縮破損を起こしにくくなる。
【００１８】
本実施形態におけるサイドパネルは、折り畳み線６０に沿ってサイドパネル１５に接続されるカバーパネル３０も含む。カバーパネル３０は、側壁の折り畳み後に箱の内側に向かって折り畳むように構成されるため、積み上げられた箱を受け入れるために平らな表面を提供し、したがって積み上げられた箱からコーナー強化部材へ負荷を分散させる。カバーパネル３０は、組み立てられた箱に折り畳まれる場合、更に果物を保護するためのカバーとしての働きをする。本実施形態において、カバーパネル３０は箱の一部をカバーする。カバーパネルは、カバーパネルのサイズを拡張することによって、本考案の核心から逸脱することなく箱を完全に密封するように、箱の開口部全体をカバーするように適合可能であることを理解されよう。
【００１９】
本実施形態において、特にバナナの輸送のための適用例では、ブランクは、果物の熟成を容易にするために組み立てられた箱内に換気を提供する複数の開口６７を含む。
【００２０】
図２は、図１に示されたブランクと同様のブランクから形成される組み立てられた箱７０を示す。ここで、箱７０は定位置に折り畳まれた側壁及び端壁を有する。横パネルは、箱の各コーナーにコーナー強化部材７５を形成するように折り畳まれている。本実施形態において、図２に示されるように、まだ定位置に置かれていないカバーパネル８０も提供される。したがって図２に示されるような箱７０は、果物を受け入れる準備ができており、箱詰めが完了すると、果物をカバーするようにカバーパネル８０を折り畳むことになる。本実施形態において、カバーパネル８０は、横パネルの折り畳まれる部分の間にフィットするように構成されるタブ８５を更に含む。これらの折り畳まれる部分は、カバーパネル８０からタブ８５を受け入れるためのくぼみ９０を形成し、カバーパネル８０を定位置に固定する。
【００２１】
図３Ａから図３Ｃは、箱を組み立てる際の逐次プロセスを示す。図３Ａは、図１を参照しながら上記で説明したようなブランク９５を示す。横パネル１００は内側に折り畳まれ、図３Ｂに示されるように厚みを２倍にするために再度折り畳まれる。図３Ｃは組み立てられた箱１０２を示し、側壁１０５及び端壁１１０が定位置に折り畳まれている。コーナー強化部材１００は、側壁１０５を折り畳むことによって、コーナー１１５内に位置決めされている。これで、組み立てられた箱１０２は果物を受け入れる状態になる。箱詰めが完了すると、次にカバーパネル１２０は、コーナー強化部材１００のくぼみ１３０内にタブ１２５を入れるように、更に折り畳まれる。
【００２２】
したがって、例えばバナナの輸送用の強化箱は単一のブランクから組み立てられ、トップカバーを含むため、別のカバーなどの追加のアイテムを必要としない。したがって、ブランク９５の製造コスト同様、組み立て時間も少なくなる。更に、同じブランクにカバーを一体化させることによって、蓋を間違った箱にマッチさせるような在庫の問題は避けられる。
【００２３】
図４は、本考案に従った、箱に組み立てられるように構成されたブランクの代替実施形態を示す。
【００２４】
図１に示されるブランクと比較すると、本実施形態におけるエンドパネル、カバーパネル、及び横パネルは設計変更されている。第１の横パネル１４０を考えてみると、追加の折り畳み区画１４５を作成するように第２の中間折り畳み線１５０が含められている。図１の１本の中間折り畳み線５５を備える横パネル２５は、２倍の厚みのコーナー強化部を作成する効果を有する。図４の実施形態の場合、第２の中間折り畳み線１５０を含めることで、パネルを２回折り畳むことが可能となり、結果としてコーナー強化部は３倍の厚みになり、組み立てられた箱の載荷容量が追加される。
【００２５】
図４の実施形態によって導入される次の改良点は、カバーパネル１８０の拡張及びエンドパネル１５０との相互作用である。
【００２６】
新しいエンドパネル１５０は、エンドカバーパネル１５５を作成するための中間折り畳み線１６０を含む。組み立てられた箱はエンドカバーパネル１５５を含むように構成されるため、エンドカバーパネル１５５は、組み立てられた箱の部分カバーの役割を果たすようにエンドパネルから折り畳み線１６０を介して直角に突出する。
【００２７】
カバーパネル１８０は、図１の実施形態とは異なる形状及び構成のタブ１７０を備えるように修正されている。図１のタブ３５はコーナー強化部に直接フィットするように構成されるが、図４のブランクのタブ１７０は、ボックスが組み立てられた状態になった場合、第１にエンドカバーパネルのスロット１６５内に挿入され、次にコーナー強化部内に挿入されるように構成される。タブ１７０がスロット１６５内に楽にフィットし、コーナー強化部内にフィットするようにスロットを介して突出したままとなるように、隙間１７５が提供される。これには、組み立てられた箱の底面の役割を果たす中央パネルと平行に２つの面を形成するように、エンドカバーパネル１５５と組み合わせて働くカバーパネル１８０の効果がある。
【００２８】
組み立てられた箱の一体化に関して、タブをスロット及びコーナー強化部の両方に挿入させることで、タブ１７０をより良好に係合させ、箱をより堅固に構築することができる。更に、エンドカバーパネル１５５の追加により、ブランクの持ち手と縁部との間の材料の幅を増加させる。これにより、箱の持ち手の「引き出し強さ」が増加する。エンドカバーパネル１５５の追加により、箱の容量を超えた場合に発生し、材料を介した持ち手のせん断の可能性のある、箱の破損の可能性を低下させる。
【図１】
0003215086.tif 000003
【図２】
0003215086.tif 000004
【図３】
0003215086.tif 000005
【図４】
0003215086.tif 000006
【手続補正書】
【提出日】平成29年12月22日(2017.12.22)
【手続補正１】
【補正対象書類名】実用新案登録請求の範囲
【補正対象項目名】全文
【補正方法】変更
【補正の内容】
【実用新案登録請求の範囲】
【請求項１】
食品を収容するための箱であって、
前記箱は、ブランクから形成され、前記ブランクは、
１対の対向する端部及び１対の対向する側部を有する矩形中央パネルと、
各エンドパネルが、前記端部に沿って折り畳み可能なように接続された第１の縁部を有する、１対のエンドパネルと、
各サイドパネルが、前記側部に沿って折り畳み可能なように接続された第２の縁部を有する、１対のサイドパネルと、
を備え、
前記サイドパネルの各々は、前記サイドパネルの横縁部に沿って折り畳み可能なように接続された横パネルを含み、
前記エンドパネル及び前記サイドパネルは、前記箱の周壁を形成するために折り畳むように構成され、
前記横パネルは、コーナー強化部材を形成するように前記箱のコーナーに位置決めされる、箱。
【請求項２】
前記横パネルは、第１の中間折り畳み線を含み、
前記横パネルは、前記コーナー強化部材の厚みが前記横パネルの厚みの２倍であるように、前記第１の中間折り畳み線で折り畳まれるように構成される、請求項１に記載の箱。
【請求項３】
前記横パネルは、第２の中間折り畳み線を含み、
前記横パネルは、前記コーナー強化部材の厚みが前記横パネルの厚みの３倍であるように、前記第１及び第２の中間折り畳み線で折り畳まれるように構成される、請求項１に記載の箱。
【請求項４】
各サイドパネルは、前記第２の縁部に対向する縁部に沿って折り畳み可能なように接続されたカバーパネルを含み、
前記サイドパネルが折り畳まれた時、前記カバーパネルは、前記箱の少なくとも一部をカバーするように折り畳まれるように構成される、請求項１から３のいずれか一項に記載の箱。
【請求項５】
各カバーパネルは、前記コーナー強化部材のうちの１つと係合するように構成された少なくとも１つのタブを含む、請求項４に記載の箱。
【請求項６】
前記タブは、前記コーナー強化部材を形成する前記横パネルの折り畳まれた部分の間にフィットするように構成される、請求項５に記載の箱。
【請求項７】
前記エンドパネルは、中間折り畳み線を含み、
前記中間折り畳み線は、前記パネルをエンドカバーパネルから分離する、請求項５に記載の箱。
【請求項８】
前記エンドカバーパネルは、前記カバーパネルの前記タブを受け入れるためのスロットを含み、
前記カバーパネル及びエンドカバーパネルは、前記中央パネルに平行な面を形成する、請求項７に記載の箱。
【請求項９】
前記ブランクは、複数の開口部を含み、
前記開口部は、組み立て後、前記箱に換気を提供するように構成される、請求項１から８のいずれか一項に記載の箱。
【請求項１０】
食品を収容するための箱用のブランクであって、
１対の対向する端部及び１対の対向する側部を有する矩形中央パネルと、
各エンドパネルが、前記端部に沿って折り畳み可能なように接続された第１の縁部を有する、１対のエンドパネルと、
各サイドパネルが、前記側部に沿って折り畳み可能なように接続された第２の縁部を有する、１対のサイドパネルと、
を備え、
前記サイドパネルの各々は、前記サイドパネルの横縁部に沿って折り畳み可能なように接続された横パネルを含み、
前記エンドパネル及び前記サイドパネルは、前記箱の周壁を形成するために折り畳むように構成され、
前記横パネルは、コーナー強化部材を形成するように前記箱のコーナーに位置決めされる、ブランク。
【請求項１１】
前記エンドパネルは、エンドカバーパネルを提供するために折り畳み可能なように構成された中間折り畳み線を含む、請求項１０に記載のブランク。
【請求項１２】
前記横パネルは、３倍の厚みのコーナー強化部材を形成するように追加の折り畳み線を含む、請求項１０又は１１に記載のブランク。